(57)【要約】【課題】  合成樹脂製部材と枠体とを躯体に固定するねじ部材の頭部の結露を防止するとともに、外観上も好ましい開口部装置を提供する。【解決手段】  縦枠１４に合成樹脂製のカバー材２１が該縦枠１４の室内側部分１４ａを覆うようにして設けられており、カバー材２１に形成され、底壁２７ｂが縦枠１４に当接される凹部２７ａと、凹部２７ａからその底壁２７ｂと縦枠１４とを貫通して躯体９にねじ込まれるねじ部材８と、カバー材２１に設けられ、凹部２７ａの開口を開閉可能とする蓋部３０とを備えている。したがって、蓋部３０を閉じることによって、凹部２７ａ内に室内とは独立した空気室を形成できるので、この空気室が断熱層となってねじ部材８の頭部８ａの結露を防止でき、室内からねじ部材８の頭部８ａが見えることがなく、観上好ましいものとなる。【選択図】      図３
2007077657.tif 000002
【特許請求の範囲】
【請求項１】
金属製の枠体と、この枠体内に設けられた障子とを備え、前記枠体に合成樹脂製部材が該枠体の室内側部分を覆うようにして設けられた開口部装置において、
前記合成樹脂製部材に形成され、底壁が前記枠体に当接される凹部と、
この凹部からその底壁と前記枠体とを貫通して躯体にねじ込まれるねじ部材と、
前記合成樹脂製部材に設けられ、前記凹部の開口を開閉可能とする蓋部とを備えていることを特徴とする開口部装置。
【発明の詳細な説明】
【技術分野】
【０００１】
本発明は、枠体に合成樹脂製カバー材等の合成樹脂製部材を設けることによって断熱性を持たせた開口部装置に関する。
【背景技術】
【０００２】
建物の外壁に設けられる開口部装置は、枠体と、この枠体内に設けられた障子とを備えているが、近年、アルミニウム合金等の金属製の枠体の室内側に合成樹脂製のカバー材を設けたものが知られている（例えば、特許文献１参照）。合成樹脂製のカバー材は金属製の枠体よりも熱伝導率が低いため、枠体の室内側部分をカバー材で覆うことにより、開口部装置の断熱性の向上と室内側の結露の抑制が図られている。
【０００３】
例えば、図４に示す枠体の縦枠１には、合成樹脂製のカバー材２が設けられている。
すなわち、縦枠１の室内側部分には、係合部３，４が対向して形成されている。係合部３，４は縦枠１の長手方向（図４において紙面と直交する方法）に沿って形成されており、この係合部３，４の先端部には係止部３ａ，４ａが形成されている。
【０００４】
一方、カバー材２は、額縁５に固定される額縁固定部６と、縦枠１に固定される縦枠固定部７とを備えている。額縁固定部６と縦枠固定部７とは合成樹脂によって一体的に形成されている。また、縦枠固定部７には、凹部７ａが形成されおり、この凹部７ａの底壁は縦枠１の室内側部分に当接されている。さらに、縦枠固定部７の室外側の端部には係合リブ７ｂが形成されており、室内側の端部には係合溝７ｃが形成されている。
【０００５】
そして、前記カバー材２は、その縦枠固定部７を縦枠１の室内側部分に、該部分を覆うようにして固定するともに、額縁固定部６を額縁５に固定することによって、縦枠１に固定されている。縦枠固定部７を縦枠１の室内側部分に固定する場合、縦枠１の係合部３，４の係止部３ａ，４ａを、縦枠固定部７の係合リブ７ｂと係合溝７ｃに係止するとともに、凹部７ａから木ねじ８を、凹部７ａの底壁と縦枠１とを貫通して躯体９にねじ込むことによって固定されている。
【０００６】
【特許文献１】特開２００４−３１６１２９号公報
【発明の開示】
【発明が解決しようとする課題】
【０００７】
上記のような従来の開口部装置では、縦枠１の室内側部分を合成樹脂製のカバー材２で覆うことにより、開口部装置の断熱性の向上と室内側の結露の抑制を図ることができるが、木ねじ８の頭部８ａが室内に露出しているので、この頭部８の表面に結露が生じ易い。すなわち、縦枠１の室外側部分が冬季に冷却されると、その冷熱が縦枠１の室内側部分に伝わり、さらに木ねじ８に伝わるが、木ねじ８の頭部８ａの表面は、暖かい室内に露出しているので、この頭部８ａの表面に結露が生じ易いのである。
【０００８】
また、木ねじ８の頭部８ａの表面が室内に露出しているので、この頭部８ａの表面が見えてしまい、外観上好ましくない。
【０００９】
本発明は、このような事情に鑑みてなされたもので、合成樹脂製部材と枠体とを躯体に固定するねじ部材の頭部の結露を防止するとともに、外観上も好ましい開口部装置を提供することを目的とする。
【課題を解決するための手段】
【００１０】
前記目的を達成するために、本発明に係る開口部装置は、金属製の枠体と、この枠体内に設けられた障子とを備え、前記枠体に合成樹脂製部材が該枠体の室内側部分を覆うようにして設けられた開口部装置において、前記合成樹脂製部材に形成され、底壁が前記枠体に当接される凹部と、この凹部からその底壁と前記枠体とを貫通して躯体にねじ込まれるねじ部材と、前記合成樹脂製部材に設けられ、前記凹部の開口を開閉可能とする蓋部とを備えていることを特徴とする。
【発明の効果】
【００１１】
本発明の開口部装置においては、枠体の室内側部分を覆う合成樹脂製部材に形成された凹部の開口を蓋部によって開閉できるので、合成樹脂製部材を枠体とともに躯体に固定するには、蓋部を開けて、凹部からねじ部材を凹部の底壁と枠体とを貫通して躯体にねじ込むことによって、合成樹脂製部材および枠体を固定できる。
【００１２】
そして、ねじ部材によって合成樹脂製部材を固定した後蓋部を閉じることによって、凹部内に室内とは独立した空気室を形成できるので、この空気室が断熱層となってねじ部材の頭部の結露を防止できる。
また、蓋部を閉じているので、室内からねじ部材の頭部が見えることがなく、観上好ましいものとなる。
さらに、蓋部が合成樹脂製部材に設けられているので、つまり蓋部が合成樹脂製部材と繋がっているので、枠体の施工時等における蓋部の紛失を防止できる。
【発明を実施するための最良の形態】
【００１３】
以下、添付した図面を参照しながら、本発明の実施の形態を説明する。
図１は、本発明の実施の形態に係る開口部装置の縦断面図、図２は同横断面図である。
まず、開口部装置の概要を説明する。
図１および図２に示すように、開口部装置１０は、引き違いサッシであって、上枠１２、下枠１３および左右の縦枠１４，１５からなる枠体１６と、この枠体１６の内側の開口を開閉する外障子（障子）１８および内障子（障子）１９とを備えている。外障子１８および内障子１９の下端部には戸車１８ａ，１９ａが、上端部にはスライダ１８ｂ，１９ｂが取り付けられている。なお、外障子１８より外側には、網戸２０が設けられており、この網戸２０の下端部には戸車２０ａが、上端部にはスライダ２０ｂが取り付けられている。スライダ１８ｂ，１９ｂ，２０ｂは上枠１２に形成されたレール１２ａ，１２ｂ，１２ｃに沿って摺動するようになっている。
【００１４】
また、下枠１３には、内レール１３ａと外レール１３ｂとが形成されており、これら内レール１３ａと外レール１３ｂ上を、前記内障子１９の戸車１９ａと外障子１８の戸車１８ａが転動するようになっている。
さらに、上枠１２には、合成樹脂等からなる断熱ブリッジ１２ｄが設けられており、この断熱ブリッジ１２ｄは、それより室外側部分と、室内側部分とを断熱している。同様に、下枠１３には、合成樹脂等からなる断熱ブリッジ１３ｄが設けられており、この断熱ブリッジ１３ｄは、それより室外側部分と、室内側部分とを断熱している。
【００１５】
枠体１６の上枠１２、下枠１３および左右の縦枠１４，１５のうち、断熱ブリッジ１２ｄ、１３ｄ等の部材を除いた部分は、金属製のもので、例えばアルミニウム合金の押出形材などにより形成されている。
【００１６】
次に、本発明に係る開口部装置のカバー材について説明する。
すなわち、図２および図３に示すように、前記縦枠１４には、合成樹脂製のカバー材（合成樹脂製部材）２１が縦枠１４の室内側部分１４ａを覆うようにして設けられている。合成樹脂としては、例えば、ポリ塩化ビニル（ＰＶＣ）、ＡＢＳ樹脂、ナイロン等の硬質の合成樹脂が用いられる。
【００１７】
縦枠１４の室内側部分１４ａには、係合部２３，２４が対向して形成されている。係合部２３，２４は縦枠１４の長手方向（図３において紙面と直交する方法）に沿って形成されており、この係合部２３，２４の先端部には係止部２３ａ，２４ａが形成されている。
【００１８】
一方、カバー材２１は、額縁５に固定される額縁固定部２６と、縦枠１４に固定される縦枠固定部２７とを備えている。額縁固定部２６と縦枠固定部２７とは上述したような硬質の合成樹脂によって一体的に形成されている。
額縁固定部２６は、縦枠１４の長手方向（図３において紙面と直交する方法）に沿って延在する長尺な板状に形成されており、額縁５の表面の一部に当接固定されている。
縦枠固定部２７は、縦枠１４の長手方向に沿って延在する長尺な略中空板状に形成されている。縦枠固定部２７には、凹部２７ａが形成されており、この凹部２７ａの底壁２７ｂは縦枠１４の室内側部分１４ａに当接されている。凹部２７ａは縦枠１４の長手方向に延在する凹溝状に形成されている。
【００１９】
また、縦枠固定部２７の室外側の端部には係合リブ２７ｃが形成されており、室内側の端部には係合溝２７ｄが形成されている。そして、前記カバー材２１は、その縦枠固定部２７を縦枠１４の室内側部分１４ａに、該部分１４ａを覆うようにして固定するともに、額縁固定部２６を額縁５に固定することによって、縦枠１４に固定されている。縦枠固定部２７を縦枠１４の室内側部分１４ａに固定する場合、縦枠１４の係合部２３，２４の係止部２３ａ，２４ａを、縦枠固定部２７の係合リブ２７ｃと係合溝２７ｄに係止するとともに、凹部２７ａから木ねじ（ねじ部材）８を、凹部２７ａの底壁２７ｂと縦枠１４の室内側部分１４ａとを貫通して躯体９にねじ込むことによって固定されている。
【００２０】
また、前記カバー材２１には、凹部２７ａの開口を開閉可能とする蓋部３０が一体的に設けられている。
すなわち、まず、前記凹部２７ａの、室外側の開口縁部には段差面２７ｅが形成されており、室内側の開口縁部には凹溝２７ｆがその開口を段差面２７ｅ側に向けて形成されている。また、凹溝２７ｆの開口部には、蓋部３０の先端部を凹溝２７ｆに導く傾斜面が形成されている。
【００２１】
一方、前記蓋部３０はカバー材２１の長手方向（図３において紙面と直交する方向）に長尺な板状に形成されており、その室外側の縁部には当接部３０ａが形成されている。この当接部３０ａは蓋部３０の裏面側に突出しており、その先端部が前記段差面２７ｅに当接されている。さらに、蓋部３０の室外側の縁部には、軟質部３０ｂが一体的に形成されており、この軟質部３０ｂは凹部２７ａの開口縁部に連結されている。つまり、蓋部３０は軟質部３０ｂによってカバー材２１の縦枠固定部２７に連結されている。
軟質部３０ｂは、蓋部３０を形成する硬質の合成樹脂（ポリ塩化ビニル（ＰＶＣ）、ＡＢＳ樹脂、ナイロン等）より軟質の合成樹脂で形成されたもので、弾性的に変形可能となっている。
【００２２】
そして、このような蓋部３０によって凹部２７ａの開口を塞ぐには、蓋部３０を、軟質部３０ｂをヒンジ部として回動させることで開口に近づけ、該蓋部３０の先端部を前記凹溝２７ｆに嵌め込むとともに、当接部３０ａを段差面２７ｅに当接させる。
この場合、軟質部３０ｂは弾性的に変形可能であるので、蓋部３０の先端部を凹溝２７ｆに嵌め込む際に、軟質部３０ｂを弾性的に圧縮変形させながら蓋部３０を凹部２７ａの開口部の室外側の縁部側に寄せ、蓋部３０の先端部を凹溝２７の開口部に形成された傾斜面上を滑らせていくと、軟質部３０ｂの弾性復帰力によって蓋部３０の先端部が凹溝２７に嵌り込んでいき、ちょうど嵌り込んだ時点で、当接部３０ａが段差面２７ｅに当接する。
【００２３】
したがって、凹部２７ａの開口を蓋部３０によって確実に塞いで、凹部２７ａ内を密封することができるので、凹部２７ａ内に室内とは独立した空気室を形成できる。また、蓋部３０の先端部が凹溝２７ｆに嵌り込んでおり、当接部３０ａが段差面２７ｅに当接しているので、蓋部３０が凹部２７ａに落ち込むのを防止できる。
【００２４】
一方、蓋部３０を開ける場合は、軟質部３０ｂを弾性的に圧縮変形させながら、蓋部３０を軟質部３０ｂが連結された部位側に向けて引込むことによって、蓋部３０の先端部を凹溝２７ｆから外してうえで、該蓋部３０を引上げることによって行う。
【００２５】
本実施の形態の開口部装置によれば、縦枠１４の室内側部分１４ａを覆うカバー材２１に形成された凹部２７ａの開口を蓋部３０によって開閉できるので、カバー材２１を縦枠１４とともに躯９体に固定するには、蓋部３０を開けて、凹部２７ａから木ねじ８を凹部２７ａの底壁２７ｂと縦枠１４の室内側部分１４ａとを貫通して躯体９にねじ込むことによって、カバー材２１および縦枠１４を確実に固定できる。
【００２６】
そして、木ねじ８によってカバー材２１を固定した後、蓋部３０を閉じることによって、凹部２７内に室内とは独立した空気室を形成できるので、この空気室が断熱層となって木ねじ８の頭部８ａ表面の結露を防止できる。
また、蓋部３０を閉じているので、室内から木ねじ８の頭部８ａが見えることがなく、観上好ましいものとなる。
さらに、蓋部３０がカバー材２１に設けられているので、つまり蓋部３０がカバー材２１と軟質部３０ｂを介して繋がっているので、縦枠１４の施工時等における蓋部３０の紛失を防止できる。
【００２７】
なお、本実施の形態では、カバー材２１を枠体１６の左側の縦枠１４に設けた場合を例にとって説明したが、本発明はこれに限ることなく、例えば、右側の縦枠１５や上枠１２、下枠１３等に設けてもよい。この場合、カバー材２１は、縦枠１５、上枠１２、下枠１３の室内側部分を覆うようにして設ける。
【図面の簡単な説明】
【００２８】
【図１】本発明の実施の形態に係る開口部装置を示す図であって、その縦断面図である。
【図２】同、開口部装置の横断面図である。
【図３】同、縦枠の横断面図である。
【図４】従来の開口部装置の一例を示すもので、その縦枠の横断面図である。
【符号の説明】
【００２９】
８  木ねじ（ねじ部材）
８ａ  頭部
９  躯体
１０  開口部装置
１２  上枠
１３  下枠
１４，１５  縦枠
１４ａ  縦枠の室内側部分
１６  枠体
１８  外障子（障子）
１９  内障子（障子）
２１  カバー材（合成樹脂製部材）
２７ａ  凹部
２７ｂ  底壁
３０  蓋部
３０ｂ  軟質部
【図１】
2007077657.tif 000003
【図２】
2007077657.tif 000004
【図３】
2007077657.tif 000005
【図４】
2007077657.tif 000006